(57)【要約】【課題】従来携帯電話などを店で充電する場合、充電が完了するまで非常に時間がかり、その間、店で待っていなくてはならない。あるいは自分で二次電池を持ち歩くか、店で高価な二次電池を購入しなければならなかった。【解決手段】  二次電池、運営会社、複数のレンタル店、利用者からなり、運営会社は二次電池を製造または購入し複数のレンタル店にレンタルし、レンタル店はレンタルされた二次電池を利用者にレンタルし、利用者はレンタルされた二次電池を使用するか、自分の携帯電話を充電し、上記レンタルされたレンタル店以外の他のレンタル店でも返却できるようにするシステムである。【選択図】図１
2017126308.tif 000002
【特許請求の範囲】
【請求項１】
二次電池、運営会社、複数のレンタル店、利用者からなり、運営会社は二次電池を製造または購入し複数のレンタル店にレンタルし、レンタル店はレンタルされた二次電池を利用者にレンタルし、利用者はレンタルされた二次電池を使用するか、自分の携帯電話を充電し、上記レンタルされたレンタル店以外の他のレンタル店でも返却できるようにしたことを特徴とする二次電池のレンタルシステム。
【請求項２】
特許請求の範囲第１項記載の二次電池の負極はチタン酸リチウムを使用するものであることを特徴とする二次電池のレンタルシステム。
【発明の詳細な説明】
【技術分野】
【０００１】本発明は外出先で携帯電話、タブレットなどが充電切れなどによって使用できなくなった時に、手軽に使用できるようにするシステムに関する。
【背景技術】
【０００２】  最近皆がスマートフォンなど携帯電話を利用しているが、外出先などでバッテリーが減少して使用できなくなる場合がある。その場合、利用者はコンビニなどに行き、店で充電をして機器を利用可能にしている。
【先行技術文献】
【特許文献】
【０００３】
【特許文献１】  特開２００１−３０６９６１  「サーバコンピュータ、レンタル制御システム、レンタル制御方法およびバッテリー充電システム」
【０００４】
【発明の概要】
【発明が解決しようとする課題】
【０００５】  従来携帯電話などを店で充電する場合、充電が完了するまで非常に時間がかかり、その間、店で待っていなくてはならない。あるいは自分で二次電池を持ち歩くか、店で高価な二次電池を購入しなければならなかった。
また、上記特許文献に記載された技術は任意の場所で製品を自由に貸し借りできるシステムだが、対象製品が本発明のような二次電池に関するものではなく、ノートパソコンのバッテリーパックなどのレンタルで、本発明の対象製品の携帯電話、タブレットなどのバッテリーと異なり、またレンタルや返却するのが、任意の地域ではあるが、指定された店であって、任意の店ではない。
【課題を解決するための手段】
【０００６】  本発明は二次電池、運営会社、複数のレンタル店、利用者からなり、運営会社は二次電池を製造または購入し複数のレンタル店にレンタルし、レンタル店はレンタルされた二次電池を利用者にレンタルし、利用者はレンタルされた二次電池を自分の携帯電話に充電し、上記レンタルされたレンタル店以外の他のレンタル店でも返却できるようにするシステムである。
【発明の効果】
【０００７】  本発明によって携帯電話等の利用者は携帯電話をレンタル店で充電する必要なく、レンタルされた二次電池をそのまま携帯電話などに使用するか、携帯電話などの二次電池に充電して利用することが出来る。利用後、レンタルされたレンタル店だけでなく、そのチェーン店など系列のレンタル店に返却することができる。
また、本発明で開発した二次電池は通常の充電時間よりも高速で充電でき、且つ長寿命であることによって、レンタル店およびその系列店は同業の他者との収益面で差別化が図れる。
【図面の簡単な説明】
【０００８】
【図１】は本発明のシステムを説明する図である。
【図２】は本発明で使用する二次電池の説明図である。
【発明を実施するための形態】
【０００９】  図中１は運営会社、２は二次電池製造会社、３、３´はコンビニ、キャリアなどの複数のレンタル店、４、４´は利用者、５は負極、６は正極、７はセパレータ、８は二次電池である。図中、矢印は二次電池の流れを示している。
運営会社１は二次電池８を自社で製造するか、製造会社２から購入し、複数のコンビニ、キャリアなどのレンタル店３、３´にそれをレンタルし、上記複数のコンビニ、キャリアなどのレンタル店３，３´はそれを利用者４、４´にレンタルし、利用料を受ける。利用者４．４´はレンタルされた二次電池２を使用し、自己の二次電池に充電するか、レンタルされたサブバッテリー２をそのまま使用する。利用者はレンタルされた店に返却するかその系列店に製品を返却することが出来る。
なお運営会社１は複数のコンビニ、キャリアなどのレンタル店３、３´に対して、充電コードやその他関連製品などを本発明のシステムによって、レンタルすることも可能である。運営会社１は複数のレンタル店３，３´に製品をレンタルし、そのレンタル店が利用者にレンタルすると手数料を受けとる。この場合、各レンタル店では互いのレンタル情報を自己の使用しているポイントカードシステムなどの管理システムで把握する。また自己の系列会社など間で、製品の所有量を調整することも可能である。
企画会社はその情報によって、利用者にレンタルした情報を得ることによって、料金の受け取りや、製品の補充、製品のメンテナンスなど行えるシステムになっている。なお本発明では二次電池の充電速度を以下のような二次電池によって、これまでより高速で充電することが出来る。
この二次電池は以下のような構成になっている。
図２において、５は負極、６は正極、７はセパレータである。
二次電池８には電解液が充填されており、セパレータ７で分離された正極６から負極５に電流が流れ、放電を起こす。
従来の二次電池８の負極５はカーボンであるが、本発明で使用する負極５にはチタン酸リチウムを使用している。従来の負極にカーボンを使用していたものは、充放電を繰り返すことや大電流を流すことにより結晶性が失われ電池劣化に繋がる。これに対して、本発明のチタン酸リチウムは安定した結晶構造を持つため大電流を流しても劣化することはない。このため急速充電が可能となる。
なお本発明で使う二次電池に使われている負極５の材料の合成法の詳細は本出願の発明者による特許出願中の特願２０１５−２５７５３１に詳細に記載されている。
なお正極はＮｉＭｎＣｏ酸リチウム等を使用するが、従来のリチウムイオン電池に使用される既存の正極材料も使用することが出来る。負極はチタン酸リチウム（Ｌｉ４Ｔｉ５Ｏ１２若しくはＬｉ７Ｔｉ５Ｏ１２等）を使う。
以上のように二次電池８はリチウムイオン電池で、本システムで使用する二次電池は通常の二次電池より充電する時間は高速で長寿命である。
本発明のシステムによって、利用者４は複数のレンタル店３，３´でレンタルでき、どこに返却しても良く、二次電池を持ち歩く必要がなく、非常に便利である。レンタル店がコンビニであれば２４時間レンタルや返却することができ、非常に便利である。また運営会社は本システムにより、このシステムの普及率を向上し、顧客の囲い込みが出来、売上が向上する。またレンタル店のポイントカードシステムを使用することによって、手数料の回収の手間を簡単にすることが出来る。レンタル店でもポイントカードシステムなどを利用することによって、製品の過不足している系列店などに、製品を移動することにより、在庫を簡単に調整することができる。
レンタル店にとっても、返却されたバッテリーを急速充電することにより、店舗での充電時間が短くなるため、商品の滞留時間を短くすることが出来る。
【符号の説明】
【００１０】  １  運営会社
２  二次電池製造会社
３、３´レンタル店
４、４´利用者
５  負極、
６  正極、
７  セパレータ
８  二次電池
【図１】
2017126308.tif 000003
【図２】
2017126308.tif 000004